(57)【要約】  少なくとも５枚のレンズ素子で構成され、表示面側から射出側へと順に、負のパワーを有する第１レンズ群と、正のパワーを有する第２レンズ群と、正のパワーを有する第３レンズ群とを備え、視度調整のために、該第２レンズ群が光軸に沿って移動することを特徴とする接眼光学系、及び、画像を表示する表示面を有する表示素子と該接眼光学系とを備えることを特徴とするファインダー光学系。
2014073027.tif 000002
【特許請求の範囲】
【請求項１】
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動することを特徴とする、接眼光学系。
【請求項２】
前記第２レンズ群が、３枚のレンズ素子で構成される、請求項１に記載の接眼光学系。
【請求項３】
前記第２レンズ群の３枚のレンズ素子が、表示面側から射出側へと順に、正のパワーを有するレンズ素子と、負のパワーを有するレンズ素子と、正のパワーを有するレンズ素子とである、請求項２に記載の接眼光学系。
【請求項４】
以下の条件（１）を満足する、請求項１に記載の接眼光学系：
０＜（ｆ）２／（ＤＳＰ×Ｌｄ）＜５．０  ・・・（１）
ここで、
ｆ：視度−１ディオプター時の接眼光学系全系の焦点距離、
ＤＳＰ：第１レンズ群と第３レンズ群との面間隔、
Ｌｄ：表示面の最大高
である。
【請求項５】
以下の条件（２）を満足する、請求項１に記載の接眼光学系：
０＜Ｄ／ｆ＜３．０  ・・・（２）
ここで、
Ｄ：表示面から最も射出側のレンズ面までの光軸上の距離、
ｆ：視度−１ディオプター時の接眼光学系全系の焦点距離
である。
【請求項６】
以下の条件（３）を満足する、請求項１に記載の接眼光学系：
０＜Ｄ１／Ｌｄ＜２．０  ・・・（３）
ここで、
Ｄ１：表示面から第１レンズ群の最も表示面側のレンズ面までの光軸上の距離、
Ｌｄ：表示面の最大高
である。
【請求項７】
以下の条件（４）を満足する、請求項１に記載の接眼光学系：
０＜ｆ２／ｆ＜２．０  ・・・（４）
ここで、
ｆ２：第２レンズ群の焦点距離、
ｆ：視度−１ディオプター時の接眼光学系全系の焦点距離
である。
【請求項８】
画像を表示する表示面を有する表示素子と、接眼光学系とを備えており、
前記接眼光学系が、請求項１〜７のいずれか１つに記載の接眼光学系であることを特徴とする、ファインダー光学系。
【発明の詳細な説明】
【技術分野】
【０００１】
本開示は、接眼光学系及びファインダー光学系に関する。
【背景技術】
【０００２】
デジタルスチルカメラ、デジタルビデオカメラ、デジタル一眼レフレックスカメラ、ミラーレス一眼カメラ等のデジタルカメラでは、光学式ファインダー、電子ビューファインダー等のファインダー光学系において、カメラ内の画像表示面に表示した画像を拡大するための接眼光学系が備えられている。ファインダー光学系は、画像をより大きく観測することが求められるので、画像表示面を大きくするか、接眼光学系の拡大倍率を高くする必要があるが、画像表示面を大きくするとファインダー光学系の大型化を招いてしまう。そこで、ファインダー光学系の小型化を実現しながら、接眼光学系の拡大倍率を高くすることが望まれている。【０００３】
特許文献１は、表示面側から射出側へと順に、正の屈折力を有する単レンズの第１レンズ群と、負の屈折力を有する両凹単レンズの第２レンズ群と、正の屈折力を有する両凸単レンズの第３レンズ群とからなる接眼光学系を開示している。【０００４】
特許文献２は、表示面側から射出側へと順に、負の屈折力を有するメニスカスレンズの第１レンズ群と、正の屈折力を有する第２レンズ群と、正又は負の屈折力を有し、２枚のレンズで構成される第３レンズ群とからなる接眼光学系を開示している。【０００５】
特許文献３は、表示面側から射出側へと順に、正の屈折力を有するメニスカスレンズの第１レンズ群と、負の屈折力を有するメニスカスレンズの第２レンズ群と、正の屈折力を有する単レンズの第３レンズ群とからなる接眼光学系を開示している。
【先行技術文献】
【特許文献】
【０００６】
【特許文献１】特開２０１２−０４２８４４号公報
【特許文献２】特開２０１１−１９７４９２号公報
【特許文献３】特開２０１０−２６６７７６号公報
【発明の概要】
【発明が解決しようとする課題】
【０００７】
本開示は、小型でありながら、焦点距離が短く、広い視野角及び高い拡大倍率が確保され、優れた光学性能を有する接眼光学系を提供する。また本開示は、該接眼光学系を備えた小型のファインダー光学系を提供する。
【課題を解決するための手段】
【０００８】
本開示における接眼光学系は、
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動することを特徴とする。【０００９】
本開示におけるファインダー光学系は、
画像を表示する表示面を有する表示素子と、接眼光学系とを備えており、
前記接眼光学系が、
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動する接眼光学系であることを特徴とする。
【発明の効果】
【００１０】
本開示における接眼光学系は、小型でありながら、焦点距離が短く、広い視野角及び高い拡大倍率が確保され、優れた光学性能を有する。
【図面の簡単な説明】
【００１１】
【図１】図１は、実施の形態１（数値実施例１）に係る接眼光学系のレンズ配置図である。
【図２】図２は、数値実施例１に係る接眼光学系の縦収差図である。
【図３】図３は、実施の形態２（数値実施例２）に係る接眼光学系のレンズ配置図である。
【図４】図４は、数値実施例２に係る接眼光学系の縦収差図である。
【図５】図５は、実施の形態３（数値実施例３）に係る接眼光学系のレンズ配置図である。
【図６】図６は、数値実施例３に係る接眼光学系の縦収差図である。
【図７】図７は、実施の形態４（数値実施例４）に係る接眼光学系のレンズ配置図である。
【図８】図８は、数値実施例４に係る接眼光学系の縦収差図である。
【図９】図９は、実施の形態５に係るファインダー光学系の概略断面図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜４）
図１、３、５及び７は、各々実施の形態１〜４に係る接眼光学系のレンズ配置図である。各図において、（ａ）図は視度−１ディオプター時のレンズ構成、（ｂ）図は視度−４ディオプター時のレンズ構成、（ｃ）図は視度＋４ディオプター時のレンズ構成をそれぞれ表している。
【００１５】
各図において、各レンズ群の符号に付された記号（＋）及び記号（−）は、各レンズ群のパワーの符号に対応する。また、レンズ群に付された矢印は、視度調整時のレンズ群の動きを表す。すなわち、図１、３、５及び７では、後述する第２レンズ群Ｇ２が視度調整のために移動する方向を示している。
【００１６】
各実施の形態に係る接眼光学系は、表示面Ｓ側から射出側（アイポイント（仮想絞り）Ａ側）へと順に、負のパワーを有する第１レンズ群Ｇ３と、正のパワーを有する第２レンズ群Ｇ２と、正のパワーを有する第３レンズ群Ｇ１とを備える。なお、図１及び３に示すように、実施の形態１及び２に係る接眼光学系では、表示面ＳにカバーガラスＣが備えられている。
【００１７】
（実施の形態１）
図１に示すように、第１レンズ群Ｇ３は、両凹形状の第１レンズ素子Ｌ５のみからなる。第１レンズ素子Ｌ５は、その両面が非球面である。
【００１８】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００１９】
第３レンズ群Ｇ１は、射出側に凸面を向けた正メニスカス形状の第５レンズ素子Ｌ１のみからなる。第５レンズ素子Ｌ１は、その両面が非球面である。
【００２０】
実施の形態１に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００２１】
（実施の形態２）
図３に示すように、第１レンズ群Ｇ３は、両凹形状の第１レンズ素子Ｌ５のみからなる。第１レンズ素子Ｌ５は、その両面が非球面である。
【００２２】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００２３】
第３レンズ群Ｇ１は、射出側に凸面を向けた正メニスカス形状の第５レンズ素子Ｌ１のみからなる。第５レンズ素子Ｌ１は、その両面が非球面である。
【００２４】
実施の形態２に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００２５】
（実施の形態３）
図５に示すように、第１レンズ群Ｇ３は、両凹形状の第１レンズ素子Ｌ５のみからなる。第１レンズ素子Ｌ５は、その両面が非球面である。
【００２６】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００２７】
第３レンズ群Ｇ１は、射出側に凸面を向けた正メニスカス形状の第５レンズ素子Ｌ１のみからなる。第５レンズ素子Ｌ１は、その両面が非球面である。
【００２８】
実施の形態３に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００２９】
（実施の形態４）
図７に示すように、第１レンズ群Ｇ３は、両凹形状の第１レンズ素子Ｌ５のみからなる。第１レンズ素子Ｌ５は、その両面が非球面である。
【００３０】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００３１】
第３レンズ群Ｇ１は、表示面Ｓ側に凸面を向けた正メニスカス形状の第５レンズ素子Ｌ１のみからなる。第５レンズ素子Ｌ１は、その両面が非球面である。
【００３２】
実施の形態４に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００３３】
前記したように、実施の形態１〜４に係る接眼光学系は、５枚のレンズ素子で構成されるが、本開示において、接眼光学系を構成するレンズ素子は少なくとも５枚であればよく、特に限定されるものではない。また、実施の形態１〜４に係る接眼光学系では、第１レンズ群Ｇ３及び第３レンズ群Ｇ１は、いずれも、１枚のレンズ素子で構成され、第２レンズ群Ｇ２は、３枚のレンズ素子で構成されるが、本開示において、各レンズ群を構成するレンズ素子の数にも特に限定がない。
【００３４】
なお、実施の形態１〜４に係る接眼光学系では、視度調整のために移動する第２レンズ群Ｇ２が、３枚のレンズ素子で構成され、しかもこれら３枚のレンズ素子が、表示面Ｓ側から射出側へと順に、正のパワーを有するレンズ素子と、負のパワーを有するレンズ素子と、正のパワーを有するレンズ素子とであるので、色収差をはじめ、球面収差、コマ収差及び非点収差の補正に有利である。
【００３５】
以上のように、本出願において開示する技術の例示として、実施の形態１〜４を説明した。しかしながら、本開示における技術は、これに限定されず、適宜、変更、置き換え、付加、省略などを行った実施の形態にも適用可能である。
【００３６】
以下、例えば実施の形態１〜４に係る接眼光学系のごとき接眼光学系が満足することが有益な条件を説明する。なお、各実施の形態に係る接眼光学系に対して、複数の有益な条件が規定されるが、これら複数の条件すべてを満足する接眼光学系の構成が最も効果的である。しかしながら、個別の条件を満足することにより、それぞれ対応する効果を奏する接眼光学系を得ることも可能である。
【００３７】
例えば実施の形態１〜４に係る接眼光学系のように、少なくとも５枚のレンズ素子で構成され、表示面側から射出側へと順に、負のパワーを有する第１レンズ群と、正のパワーを有する第２レンズ群と、正のパワーを有する第３レンズ群とを備え、視度調整のために、前記第２レンズ群が光軸に沿って移動する（以下、このレンズ構成を、実施の形態の基本構成という）接眼光学系は、以下の条件（１）を満足することが有益である。
０＜（ｆ）２／（ＤＳＰ×Ｌｄ）＜５．０  ・・・（１）
ここで、
ｆ：視度−１ディオプター時の接眼光学系全系の焦点距離、
ＤＳＰ：第１レンズ群と第３レンズ群との面間隔（第１レンズ群の最も射出側のレンズ面から第３レンズ群の最も表示面側のレンズ面までの光軸上の距離）、
Ｌｄ：表示面の最大高
である。
【００３８】
前記条件（１）は、視度−１ディオプター時の全系の焦点距離の２乗と、第１レンズ群と第３レンズ群との面間隔、すなわち、視度調整時の第２レンズ群の可動範囲と表示面の最大高とを乗じた値との比を規定する条件である。条件（１）の範囲を外れると、視度調整範囲が狭くなるため、近視、遠視等の種々の視力を有する使用者に対応することが困難になる。また、条件（１）の範囲を外れると、全系の焦点距離が長くなり、拡大倍率が低くなるため、物体の細部まで観察することが困難になる。
【００３９】
以下の条件（１−１）’及び（１−１）’’の少なくとも１つを満足することにより、前記効果をさらに奏功させることができる。
２．０＜（ｆ）２／（ＤＳＰ×Ｌｄ）  ・・・（１−１）’
（ｆ）２／（ＤＳＰ×Ｌｄ）＜４．０  ・・・（１−１）’’
【００４０】
また、以下の条件（１−２）’及び（１−２）’’の少なくとも１つを満足することにより、前記効果をより一層奏功させることができる。
２．５＜（ｆ）２／（ＤＳＰ×Ｌｄ）  ・・・（１−２）’
（ｆ）２／（ＤＳＰ×Ｌｄ）＜３．５  ・・・（１−２）’’
【００４１】
例えば実施の形態１〜４に係る接眼光学系のように、基本構成を有する接眼光学系は、以下の条件（２）を満足することが有益である。
０＜Ｄ／ｆ＜３．０  ・・・（２）
ここで、
Ｄ：表示面から最も射出側のレンズ面までの光軸上の距離、
ｆ：視度−１ディオプター時の接眼光学系全系の焦点距離
である。
【００４２】
前記条件（２）は、表示面から最も射出側のレンズ面までの光軸上の距離、すなわち、レンズ全長と、視度−１ディオプター時の全系の焦点距離との比を規定する条件である。条件（２）の範囲を外れると、レンズ全長が長くなり、コンパクトな接眼光学系を提供することが困難になる。また、条件（２）の範囲を外れると、全系の焦点距離が短くなり過ぎ、収差補正を良好に行うことが困難になる。
【００４３】
以下の条件（２−１）’及び（２−１）’’の少なくとも１つを満足することにより、前記効果をさらに奏功させることができる。
０．５＜Ｄ／ｆ  ・・・（２−１）’
Ｄ／ｆ＜２．５  ・・・（２−１）’’
【００４４】
また、以下の条件（２−２）’及び（２−２）’’の少なくとも１つを満足することにより、前記効果をより一層奏功させることができる。
０．８＜Ｄ／ｆ  ・・・（２−２）’
Ｄ／ｆ＜１．８  ・・・（２−２）’’
【００４５】
例えば実施の形態１〜４に係る接眼光学系のように、基本構成を有する接眼光学系は、以下の条件（３）を満足することが有益である。
０＜Ｄ１／Ｌｄ＜２．０  ・・・（３）
ここで、
Ｄ１：表示面から第１レンズ群の最も表示面側のレンズ面までの光軸上の距離、
Ｌｄ：表示面の最大高
である。
【００４６】
前記条件（３）は、表示面から第１レンズ群の最も表示面側のレンズ面までの光軸上の距離と、表示面の最大高との比を規定する条件である。条件（３）の範囲を外れると、全系の焦点距離を短くすることが困難で、拡大倍率を高くすることが困難になる。また、条件（３）の範囲を外れると、像面湾曲の補正が困難になる。
【００４７】
以下の条件（３−１）を満足することにより、前記効果をさらに奏功させることができる。
０＜Ｄ１／Ｌｄ＜１．３  ・・・（３−１）
【００４８】
また、以下の条件（３−２）を満足することにより、前記効果をより一層奏功させることができる。
０＜Ｄ１／Ｌｄ＜０．８  ・・・（３−２）
【００４９】
例えば実施の形態１〜４に係る接眼光学系のように、基本構成を有する接眼光学系は、以下の条件（４）を満足することが有益である。
０＜ｆ２／ｆ＜２．０  ・・・（４）
ここで、
ｆ２：第２レンズ群の焦点距離、
ｆ：視度−１ディオプター時の接眼光学系全系の焦点距離
である。
【００５０】
前記条件（４）は、第２レンズ群の焦点距離と、視度−１ディオプター時の全系の焦点距離との比を規定する条件である。条件（４）の範囲を外れると、像面湾曲を始めとする諸収差の補正が困難になる。
【００５１】
以下の条件（４−１）’及び（４−１）’’の少なくとも１つを満足することにより、前記効果をさらに奏功させることができる。
０．２＜ｆ２／ｆ  ・・・（４−１）’
ｆ２／ｆ＜１．５  ・・・（４−１）’’
【００５２】
また、以下の条件（４−２）’及び（４−２）’’の少なくとも１つを満足することにより、前記効果をより一層奏功させることができる。
０．５＜ｆ２／ｆ  ・・・（４−２）’
ｆ２／ｆ＜１．２  ・・・（４−２）’’
【００５３】
（実施の形態５）
図９は、実施の形態５に係るファインダー光学系の概略断面図である。図９に示すように、ファインダー光学系は、液晶表示素子等の、画像を表示する表示面Ｓを有する表示素子２と、接眼光学系１とを備えており、該接眼光学系１として、実施の形態１に係る接眼光学系が用いられている。図９において、接眼光学系１は、表示面Ｓ側から順に、第１レンズ群Ｇ３と、第２レンズ群Ｇ２と、第３レンズ群Ｇ１とで構成されている。
【００５４】
こうして、接眼光学系として実施の形態１に係る接眼光学系を用いることにより、小型で、広い視野角及び高い拡大倍率が確保されたファインダー光学系を提供することができる。なお、図９に示したファインダー光学系には、実施の形態１に係る接眼光学系の替わりに実施の形態２〜４に係る接眼光学系のいずれかを用いてもよい。
【００５５】
なお、本開示におけるファインダー光学系は、必要に応じて、ペンタプリズム、ペンタミラー等の、対物レンズによって形成された倒立像を正立像に反転する像反転手段や、スーパーインポーズ表示板、有機ＥＬや液晶等の電子表示素子等を備えていてもよい。また、本開示におけるファインダー光学系は、光学式ファインダー、電子ビューファインダー等の、各種デジタルカメラ等に備えられるファインダーとすることができる。
【００５６】
以上のように、本出願において開示する技術の例示として、実施の形態５を説明した。しかしながら、本開示における技術は、これに限定されず、適宜、変更、置き換え、付加、省略などを行った実施の形態にも適用可能である。
【００５７】
以下、実施の形態１〜４に係る接眼光学系を具体的に実施した数値実施例を説明する。なお、各数値実施例において、表中の長さの単位はすべて「ｍｍ」であり、視度の単位は「ディオプター」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014073027.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００５８】
図２、４、６及び８は、各々数値実施例１〜４に係る接眼光学系の縦収差図である。
【００５９】
各縦収差図において、（ａ）図は視度−１ディオプター時の収差、（ｂ）図は視度−４ディオプター時の収差、（ｃ）図は視度＋４ディオプター時の収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は表示面高（図中、Ｈで示す）を表し、実線はサジタル平面（図中、ｓで示す）、破線はメリディオナル平面（図中、ｍで示す）の特性である。歪曲収差図において、縦軸は表示面高（図中、Ｈで示す）を表す。
【００６０】
（数値実施例１）
数値実施例１の接眼光学系は、図１に示した実施の形態１に対応する。数値実施例１の接眼光学系の面データを表１に、非球面データを表２に、各種データを表３に示す。
【００６１】
表  １（面データ）
面番号         r           d           nd         vd                
0             ∞        可変                                   
1(仮想絞り)       ∞    12.50000                                   
2*        26.72450     2.82000     1.52470    56.2               
3*        99.86820        可変                                   
4*        12.35610     6.48000     1.52470    56.2               
5*       -10.20560     0.61000                                   
6*       -10.45270     2.01000     1.58387    30.9               
7*         8.33380     1.29000                                   
8*         8.28700     7.80000     1.52470    56.2               
9*        -8.54230        可変                                   
10*       -25.72510     1.58000     1.58387    30.9               
11*        16.68570     1.70000                                   
12               ∞     0.70000     1.50997    61.6               
表示面            ∞                                               
【００６２】
表  ２（非球面データ）
第2面
K= 0.00000E+00, A4= 3.30583E-05, A6= 5.12835E-06, A8=-9.57265E-08 
A10= 1.06981E-09, A12=-4.81724E-12, A14= 0.00000E+00, A16= 0.00000E+00 
第3面
K= 0.00000E+00, A4=-9.16406E-05, A6= 2.49825E-06, A8= 6.53783E-08 
A10=-8.47733E-10, A12= 1.39883E-12, A14= 0.00000E+00, A16= 0.00000E+00 
第4面
K=-2.09483E-01, A4=-1.63310E-04, A6=-1.70600E-05, A8= 4.44704E-07 
A10=-4.14681E-09, A12= 1.21886E-11, A14= 1.47347E-14, A16= 0.00000E+00 
第5面
K=-4.48592E-01, A4= 7.74310E-04, A6=-1.84295E-05, A8= 1.49514E-07 
A10= 1.36694E-09, A12=-1.85567E-11, A14= 3.92931E-14, A16= 0.00000E+00 
第6面
K=-5.30691E-02, A4= 1.54595E-03, A6=-1.60417E-05, A8=-6.05308E-07 
A10= 1.74139E-08, A12=-1.25407E-10, A14= 7.13272E-16, A16= 1.12151E-15 
第7面
K=-1.86344E-01, A4= 1.34981E-03, A6=-6.02403E-05, A8= 5.60238E-07 
A10= 2.12328E-09, A12=-6.30360E-11, A14= 2.38237E-13, A16= 0.00000E+00 
第8面
K=-2.49786E-01, A4= 4.10631E-04, A6=-2.82129E-05, A8= 5.38944E-07 
A10=-5.47077E-09, A12= 4.81917E-12, A14= 1.28492E-13, A16= 0.00000E+00 
第9面
K=-3.17989E-01, A4= 7.84156E-04, A6=-5.88666E-06, A8= 1.51712E-07 
A10=-3.70370E-09, A12= 3.47845E-11, A14=-1.13322E-13, A16= 0.00000E+00 
第10面
K= 0.00000E+00, A4= 7.93521E-05, A6= 2.84771E-07, A8=-2.09783E-08 
A10=-4.72961E-09, A12= 3.24039E-11, A14= 1.69442E-12, A16= 0.00000E+00 
第11面
K= 0.00000E+00, A4= 5.77264E-05, A6=-4.49937E-07, A8=-6.62074E-07 
A10= 5.01708E-09, A12= 2.81760E-10, A14=-3.58105E-12, A16= 0.00000E+00
【００６３】
表  ３（各種データ）
視度             -1        -4        +4
焦点距離      17.0339   18.1118   15.6904
瞳径           4.0000
表示面最大高    5.0000    5.0000    5.0000
レンズ全長     40.8369   40.8369   40.8369
d0       -1000.0000 -250.0000  250.0000 
d3           1.8206    2.5710    0.7656 
d9           1.5263    0.7759    2.5813 
レンズ群データ
群    始面      焦点距離
1       1      68.63167
2       4      14.21563
3      10     -17.09968
【００６４】
（数値実施例２）
数値実施例２の接眼光学系は、図３に示した実施の形態２に対応する。数値実施例２の接眼光学系の面データを表４に、非球面データを表５に、各種データを表６に示す。
【００６５】
表  ４（面データ）
面番号         r           d           nd         vd                
0               ∞        可変                                   
1(仮想絞り)       ∞    12.50000                                   
2*        26.64100     2.82000     1.52470    56.2               
3*        98.50300        可変                                   
4*        12.35400     6.48000     1.52470    56.2               
5*       -10.20700     0.61000                                   
6*       -10.49400     2.01000     1.58387    30.9               
7*         8.30900     1.31000                                   
8*         8.28800     7.80000     1.52470    56.2               
9*        -8.55400        可変                                   
10*       -25.91000     1.58000     1.58387    30.9               
11*        16.75800     1.70000                                   
12               ∞     0.70000     1.50997    61.6               
表示面             ∞                                               
【００６６】
表  ５（非球面データ）
第2面
K= 0.00000E+00, A4= 8.36104E-05, A6= 1.40116E-06, A8=-2.03282E-08 
A10= 1.93620E-10, A12=-3.50960E-13, A14= 0.00000E+00, A16= 0.00000E+00 
第3面
K= 0.00000E+00, A4= 2.30652E-05, A6=-1.44453E-07, A8= 3.69705E-08 
A10=-1.17794E-10, A12=-1.57261E-12, A14= 0.00000E+00, A16= 0.00000E+00 
第4面
K=-1.94998E-01, A4=-9.32599E-05, A6=-1.78506E-05, A8= 4.68983E-07 
A10=-4.61548E-09, A12= 1.97091E-11, A14=-3.64883E-14, A16= 0.00000E+00 
第5面
K=-4.32235E-01, A4= 8.02836E-04, A6=-1.89610E-05, A8= 1.63160E-07 
A10= 1.70099E-09, A12=-1.93104E-11, A14=-1.26086E-14, A16= 0.00000E+00 
第6面
K=-6.59812E-02, A4= 1.54870E-03, A6=-1.59810E-05, A8=-6.05020E-07 
A10= 1.74138E-08, A12=-1.25575E-10, A14=-8.31988E-16, A16= 9.58338E-16 
第7面
K=-1.84106E-01, A4= 1.34377E-03, A6=-6.03523E-05, A8= 5.61549E-07 
A10= 2.11503E-09, A12=-6.36759E-11, A14= 2.26021E-13, A16= 0.00000E+00 
第8面
K=-2.34867E-01, A4= 4.14490E-04, A6=-2.81289E-05, A8= 5.35892E-07 
A10=-5.52634E-09, A12= 4.92607E-12, A14= 1.35686E-13, A16= 0.00000E+00 
第9面
K=-3.28439E-01, A4= 7.97900E-04, A6=-5.96431E-06, A8= 1.52739E-07 
A10=-3.68750E-09, A12= 3.47665E-11, A14=-1.14715E-13, A16= 0.00000E+00 
第10面
K= 0.00000E+00, A4= 7.37056E-05, A6= 3.58091E-07, A8=-1.47121E-08 
A10=-4.66118E-09, A12= 3.19966E-11, A14= 1.57026E-12, A16= 0.00000E+00 
第11面
K= 0.00000E+00, A4= 1.26408E-04, A6=-2.11876E-07, A8=-6.63658E-07 
A10= 4.95835E-09, A12= 2.79398E-10, A14=-3.67795E-12, A16= 0.00000E+00
【００６７】
表  ６（各種データ）
視度             -1        -4        +4
焦点距離      17.0339   18.1064   15.6946
瞳径           4.0000    4.0000    4.0000
表示面最大高    5.0000    5.0000    5.0000
レンズ全長     40.8786   40.8786   40.8786
d0       -1000.0000 -250.0000  250.0000 
d3           1.8409    2.5919    0.7837 
d9           1.5277    0.7767    2.5849 
レンズ群データ
群    始面      焦点距離
1       1      68.66976
2       4      14.22297
3      10     -17.19435
【００６８】
（数値実施例３）
数値実施例３の接眼光学系は、図５に示した実施の形態３に対応する。数値実施例３の接眼光学系の面データを表７に、非球面データを表８に、各種データを表９に示す。
【００６９】
表  ７（面データ）
面番号         r           d           nd         vd                
0               ∞        可変                                   
1(仮想絞り)       ∞    12.50000                                   
2*        24.25870     3.20000     1.52470    56.2               
3*        88.26770        可変                                   
4*        12.04820     6.49190     1.52470    56.2               
5*       -10.66540     0.68620                                   
6*       -10.90740     1.70000     1.58387    30.9               
7*         8.20690     0.70000                                   
8*         8.44390     8.00000     1.52470    56.2               
9*        -8.51670        可変                                   
10*       -20.20950     1.50000     1.58387    30.9               
11*        16.96860     1.80000                                   
表示面             ∞                                             
【００７０】
表  ８（非球面データ）
第2面
K= 0.00000E+00, A4= 8.51678E-05, A6= 2.22105E-06, A8=-2.01206E-08 
A10= 5.40628E-11, A12= 6.55478E-13, A14= 0.00000E+00 
第3面
K= 0.00000E+00, A4= 4.82639E-05, A6= 5.72236E-08, A8= 3.94067E-08 
A10= 8.03289E-12, A12=-2.60787E-12, A14= 0.00000E+00 
第4面
K=-1.40222E-02, A4=-5.90871E-05, A6=-1.82713E-05, A8= 4.68471E-07 
A10=-4.71295E-09, A12= 1.85838E-11, A14=-2.03128E-14 
第5面
K=-4.13186E-01, A4= 7.75410E-04, A6=-1.91790E-05, A8= 1.57777E-07 
A10= 1.68169E-09, A12=-1.90458E-11, A14=-6.67682E-15 
第6面
K= 1.64283E-01, A4= 1.47887E-03, A6=-1.67727E-05, A8=-5.95833E-07 
A10= 1.77023E-08, A12=-1.21881E-10, A14= 2.61643E-14 
第7面
K=-2.10063E-01, A4= 1.25299E-03, A6=-5.84307E-05, A8= 5.81611E-07 
A10= 2.37704E-09, A12=-6.19814E-11, A14= 1.28786E-13 
第8面
K=-1.48090E-01, A4= 4.19777E-04, A6=-2.96119E-05, A8= 5.66982E-07 
A10=-5.02257E-09, A12= 5.74362E-12, A14= 3.90851E-14 
第9面
K=-3.66780E-01, A4= 8.00058E-04, A6=-5.19266E-06, A8= 1.51444E-07 
A10=-3.85936E-09, A12= 3.34792E-11, A14=-5.18233E-14 
第10面
K= 0.00000E+00, A4=-9.74976E-05, A6=-2.31222E-06, A8=-7.86624E-09 
A10=-1.91567E-09, A12= 9.86372E-11, A14= 0.00000E+00 
第11面
K= 0.00000E+00, A4=-3.77825E-04, A6= 5.66935E-07, A8=-4.53873E-07 
A10= 2.24401E-09, A12= 2.11161E-10, A14= 0.00000E+00
【００７１】
表  ９（各種データ）
視度             -1        -4        +4
焦点距離      17.0170   18.1943   15.5556
瞳径           4.0000    4.0000    4.0000
表示面最大高    5.0000    5.0000    5.0000
レンズ全長     39.8931   39.8931   39.8931
d0       -1000.0000 -250.0000  250.0000 
d3           1.8367    2.5900    0.7703 
d9           1.4783    0.7250    2.5447 
レンズ群データ
群    始面      焦点距離
1       1      62.67736
2       4      14.45650
3      10     -15.56644
【００７２】
（数値実施例４）
数値実施例４の接眼光学系は、図７に示した実施の形態４に対応する。数値実施例４の接眼光学系の面データを表１０に、非球面データを表１１に、各種データを表１２に示す。
【００７３】
表  １０（面データ）
面番号         r           d           nd         vd                
0               ∞        可変                                   
1(仮想絞り)       ∞    12.50000                                   
2*       -45.11010     2.80000     1.52470    56.2               
3*       -12.81510        可変                                   
4*        15.75730     6.49190     1.52470    56.2               
5*       -13.60420     0.76330                                   
6*       -11.98990     1.70000     1.58387    30.9               
7*         7.99350     0.93190                                   
8*         8.49320     7.50000     1.52470    56.2               
9*        -8.77570        可変                                   
10*       -21.44360     1.50000     1.58387    30.9               
11*        13.13960     1.80000                                   
表示面             ∞                                              
【００７４】
表  １１（非球面データ）
第2面
K= 0.00000E+00, A4=-1.46893E-04, A6=-8.22758E-07, A8=-5.18262E-08 
A10=-4.14216E-10, A12=-2.31043E-12, A14= 5.67194E-14 
第3面
K= 0.00000E+00, A4=-4.25125E-05, A6=-2.68833E-06, A8= 1.95879E-08 
A10=-4.11619E-11, A12=-4.22813E-12, A14=-6.88455E-14 
第4面
K= 0.00000E+00, A4= 5.17460E-06, A6=-1.82850E-05, A8= 4.69905E-07 
A10=-4.75216E-09, A12= 1.86645E-11, A14=-1.06511E-14 
第5面
K= 0.00000E+00, A4= 6.35324E-04, A6=-1.98312E-05, A8= 1.53323E-07 
A10= 1.69812E-09, A12=-1.83343E-11, A14=-2.67482E-15 
第6面
K= 1.82356E-01, A4= 1.47681E-03, A6=-1.74132E-05, A8=-5.98902E-07 
A10= 1.76705E-08, A12=-1.22427E-10, A14= 1.12285E-14 
第7面
K=-2.32025E-01, A4= 1.17832E-03, A6=-5.59180E-05, A8= 5.81833E-07 
A10= 2.07139E-09, A12=-6.49011E-11, A14= 1.59332E-13 
第8面
K=-1.21984E-01, A4= 5.38717E-04, A6=-3.05312E-05, A8= 5.59969E-07 
A10=-5.00191E-09, A12= 6.46014E-12, A14= 1.16466E-14 
第9面
K=-4.63670E-01, A4= 8.54904E-04, A6=-5.62873E-06, A8= 1.30757E-07 
A10=-4.20305E-09, A12= 3.36426E-11, A14= 2.40838E-14 
第10面
K= 0.00000E+00, A4=-2.67039E-04, A6=-2.83907E-06, A8=-1.73388E-08 
A10= 7.60732E-11, A12= 8.20810E-11, A14= 0.00000E+00 
第11面
K= 0.00000E+00, A4= 1.37681E-04, A6=-1.45814E-05, A8=-2.23668E-07 
A10= 7.71039E-09, A12=-4.04712E-11, A14= 0.00000E+00
【００７５】
表  １２（各種データ）
視度             -1        -4        +4
焦点距離      17.2872   18.9309   16.4447
瞳径           4.0000    4.0000    4.0000
表示面最大高    5.0000    5.0000    5.0000
レンズ全長     39.8700   39.8700   39.8700
d0       -1000.0000 -250.0000 1000.0000 
d3           2.3029    3.2207    1.7803 
d9           1.5800    0.6622    2.1026 
レンズ群データ
群    始面      焦点距離
1       1      33.12692
2       4      16.04161
3      10     -13.73448
【００７６】
以下の表１３に、各数値実施例の接眼光学系における各条件の対応値を示す。
【００７７】
表  １３（条件の対応値）
【表１】
2014073027.tif 000004
【００７８】
以上のように、本開示における技術の例示として、実施の形態を説明した。そのために、添付図面および詳細な説明を提供した。
【００７９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８０】
また、上述の実施の形態は、本開示における技術を例示するためのものであるから、特許請求の範囲またはその均等の範囲において種々の変更、置き換え、付加、省略などを行うことができる。
【産業上の利用可能性】
【００８１】
本開示は、デジタルスチルカメラ、デジタルビデオカメラ、デジタル一眼レフレックスカメラ、ミラーレス一眼カメラといったデジタルカメラ等に適用可能である。
【符号の説明】
【００８２】
Ｇ１    第３レンズ群
Ｇ２    第２レンズ群
Ｇ３    第１レンズ群
Ｌ１    第５レンズ素子
Ｌ２    第４レンズ素子
Ｌ３    第３レンズ素子
Ｌ４    第２レンズ素子
Ｌ５    第１レンズ素子
Ａ      アイポイント（仮想絞り）
Ｓ      表示面
Ｃ      カバーガラス
１      接眼光学系
２      表示素子
【図１】
2014073027.tif 000005
【図２】
2014073027.tif 000006
【図３】
2014073027.tif 000007
【図４】
2014073027.tif 000008
【図５】
2014073027.tif 000009
【図６】
2014073027.tif 000010
【図７】
2014073027.tif 000011
【図８】
2014073027.tif 000012
【図９】
2014073027.tif 000013
【手続補正書】
【提出日】平成27年4月21日(2015.4.21)
【手続補正１】
【補正対象書類名】明細書
【補正対象項目名】全文
【補正方法】変更
【補正の内容】
【発明の詳細な説明】
【技術分野】
【０００１】
本開示は、接眼光学系及びファインダー光学系に関する。
【背景技術】
【０００２】
デジタルスチルカメラ、デジタルビデオカメラ、デジタル一眼レフレックスカメラ、ミラーレス一眼カメラ等のデジタルカメラでは、光学式ファインダー、電子ビューファインダー等のファインダー光学系において、カメラ内の画像表示面に表示した画像を拡大するための接眼光学系が備えられている。ファインダー光学系は、画像をより大きく観測することが求められるので、画像表示面を大きくするか、接眼光学系の拡大倍率を高くする必要があるが、画像表示面を大きくするとファインダー光学系の大型化を招いてしまう。そこで、ファインダー光学系の小型化を実現しながら、接眼光学系の拡大倍率を高くすることが望まれている。
【０００３】
特許文献１は、表示面側から射出側へと順に、正の屈折力を有する単レンズの第１レンズ群と、負の屈折力を有する両凹単レンズの第２レンズ群と、正の屈折力を有する両凸単レンズの第３レンズ群とからなる接眼光学系を開示している。
【０００４】
特許文献２は、表示面側から射出側へと順に、負の屈折力を有するメニスカスレンズの第１レンズ群と、正の屈折力を有する第２レンズ群と、正又は負の屈折力を有し、２枚のレンズで構成される第３レンズ群とからなる接眼光学系を開示している。
【０００５】
特許文献３は、表示面側から射出側へと順に、正の屈折力を有するメニスカスレンズの第１レンズ群と、負の屈折力を有するメニスカスレンズの第２レンズ群と、正の屈折力を有する単レンズの第３レンズ群とからなる接眼光学系を開示している。
【先行技術文献】
【特許文献】
【０００６】
【特許文献１】特開２０１２−０４２８４４号公報
【特許文献２】特開２０１１−１９７４９２号公報
【特許文献３】特開２０１０−２６６７７６号公報
【発明の概要】
【発明が解決しようとする課題】
【０００７】
本開示は、小型でありながら、焦点距離が短く、広い視野角及び高い拡大倍率が確保され、優れた光学性能を有する接眼光学系を提供する。また本開示は、該接眼光学系を備えた小型のファインダー光学系を提供する。
【課題を解決するための手段】
【０００８】
本開示における接眼光学系は、
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動することを特徴とする。
【０００９】
本開示におけるファインダー光学系は、
画像を表示する表示面を有する表示素子と、接眼光学系とを備えており、
前記接眼光学系が、
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動する接眼光学系であることを特徴とする。
【発明の効果】
【００１０】
本開示における接眼光学系は、小型でありながら、焦点距離が短く、広い視野角及び高い拡大倍率が確保され、優れた光学性能を有する。
【図面の簡単な説明】
【００１１】
【図１】実施の形態１（数値実施例１）に係る接眼光学系のレンズ配置図
【図２】数値実施例１に係る接眼光学系の縦収差図
【図３】実施の形態２（数値実施例２）に係る接眼光学系のレンズ配置図
【図４】数値実施例２に係る接眼光学系の縦収差図
【図５】実施の形態３（数値実施例３）に係る接眼光学系のレンズ配置図
【図６】数値実施例３に係る接眼光学系の縦収差図
【図７】実施の形態４（数値実施例４）に係る接眼光学系のレンズ配置図
【図８】数値実施例４に係る接眼光学系の縦収差図
【図９】実施の形態５に係るファインダー光学系の概略断面図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜４）
図１、３、５及び７は、各々実施の形態１〜４に係る接眼光学系のレンズ配置図である。各図において、（ａ）図は視度−１ディオプター時のレンズ構成、（ｂ）図は視度−４ディオプター時のレンズ構成、（ｃ）図は視度＋４ディオプター時のレンズ構成をそれぞれ表している。
【００１５】
各図において、各レンズ群の符号に付された記号（＋）及び記号（−）は、各レンズ群のパワーの符号に対応する。また、レンズ群に付された矢印は、視度調整時のレンズ群の動きを表す。すなわち、図１、３、５及び７では、後述する第２レンズ群Ｇ２が視度調整のために移動する方向を示している。
【００１６】
各実施の形態に係る接眼光学系は、表示面Ｓ側から射出側（アイポイント（仮想絞り）Ａ側）へと順に、負のパワーを有する第１レンズ群Ｇ３と、正のパワーを有する第２レンズ群Ｇ２と、正のパワーを有する第３レンズ群Ｇ１とを備える。なお、図１及び３に示すように、実施の形態１及び２に係る接眼光学系では、表示面ＳにカバーガラスＣが備えられている。
【００１７】
（実施の形態１）
図１に示すように、第１レンズ群Ｇ３は、両凹形状の第１レンズ素子Ｌ５のみからなる。第１レンズ素子Ｌ５は、その両面が非球面である。
【００１８】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００１９】
第３レンズ群Ｇ１は、射出側に凸面を向けた正メニスカス形状の第５レンズ素子Ｌ１のみからなる。第５レンズ素子Ｌ１は、その両面が非球面である。
【００２０】
実施の形態１に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００２１】
（実施の形態２）
図３に示すように、第１レンズ群Ｇ３は、両凹形状の第１レンズ素子Ｌ５のみからなる。第１レンズ素子Ｌ５は、その両面が非球面である。
【００２２】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００２３】
第３レンズ群Ｇ１は、射出側に凸面を向けた正メニスカス形状の第５レンズ素子Ｌ１のみからなる。第５レンズ素子Ｌ１は、その両面が非球面である。
【００２４】
実施の形態２に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００２５】
（実施の形態３）
図５に示すように、第１レンズ群Ｇ３は、両凹形状の第１レンズ素子Ｌ５のみからなる。第１レンズ素子Ｌ５は、その両面が非球面である。
【００２６】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００２７】
第３レンズ群Ｇ１は、射出側に凸面を向けた正メニスカス形状の第５レンズ素子Ｌ１のみからなる。第５レンズ素子Ｌ１は、その両面が非球面である。
【００２８】
実施の形態３に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００２９】
（実施の形態４）
図７に示すように、第１レンズ群Ｇ３は、両凹形状の第１レンズ素子Ｌ５のみからなる。第１レンズ素子Ｌ５は、その両面が非球面である。
【００３０】
第２レンズ群Ｇ２は、表示面Ｓ側から射出側へと順に、両凸形状の第２レンズ素子Ｌ４と、両凹形状の第３レンズ素子Ｌ３と、両凸形状の第４レンズ素子Ｌ２とからなる。第２レンズ素子Ｌ４、第３レンズ素子Ｌ３及び第４レンズ素子Ｌ２は、いずれも、その両面が非球面である。
【００３１】
第３レンズ群Ｇ１は、表示面Ｓ側に凸面を向けた正メニスカス形状の第５レンズ素子Ｌ１のみからなる。第５レンズ素子Ｌ１は、その両面が非球面である。
【００３２】
実施の形態４に係る接眼光学系において、＋４ディオプターから−４ディオプターへの視度調整の際に、第２レンズ群Ｇ２は、光軸に沿って表示面Ｓ側へ移動する。また、−４ディオプターから＋４ディオプターへの視度調整の際に、第２レンズ群Ｇ２は、光軸に沿って射出側へ移動する。すなわち、第２レンズ群Ｇ２は、視度を減少させる際には表示面Ｓ側へ移動し、視度を増加させる際には射出側へ移動する。
【００３３】
前記したように、実施の形態１〜４に係る接眼光学系は、５枚のレンズ素子で構成されるが、本開示において、接眼光学系を構成するレンズ素子は少なくとも５枚であればよく、特に限定されるものではない。また、実施の形態１〜４に係る接眼光学系では、第１レンズ群Ｇ３及び第３レンズ群Ｇ１は、いずれも、１枚のレンズ素子で構成され、第２レンズ群Ｇ２は、３枚のレンズ素子で構成されるが、本開示において、各レンズ群を構成するレンズ素子の数にも特に限定がない。
【００３４】
なお、実施の形態１〜４に係る接眼光学系では、視度調整のために移動する第２レンズ群Ｇ２が、３枚のレンズ素子で構成され、しかもこれら３枚のレンズ素子が、表示面Ｓ側から射出側へと順に、正のパワーを有するレンズ素子と、負のパワーを有するレンズ素子と、正のパワーを有するレンズ素子とであるので、色収差をはじめ、球面収差、コマ収差及び非点収差の補正に有利である。
【００３５】
以上のように、本出願において開示する技術の例示として、実施の形態１〜４を説明した。しかしながら、本開示における技術は、これに限定されず、適宜、変更、置き換え、付加、省略などを行った実施の形態にも適用可能である。
【００３６】
以下、例えば実施の形態１〜４に係る接眼光学系のごとき接眼光学系が満足することが有益な条件を説明する。なお、各実施の形態に係る接眼光学系に対して、複数の有益な条件が規定されるが、これら複数の条件すべてを満足する接眼光学系の構成が最も効果的である。しかしながら、個別の条件を満足することにより、それぞれ対応する効果を奏する接眼光学系を得ることも可能である。
【００３７】
例えば実施の形態１〜４に係る接眼光学系のように、少なくとも５枚のレンズ素子で構成され、表示面側から射出側へと順に、負のパワーを有する第１レンズ群と、正のパワーを有する第２レンズ群と、正のパワーを有する第３レンズ群とを備え、視度調整のために、前記第２レンズ群が光軸に沿って移動する（以下、このレンズ構成を、実施の形態の基本構成という）接眼光学系は、以下の条件（１）を満足することが有益である。
０＜（ｆ）２／（ＤＳＰ×Ｌｄ）＜５．０  ・・・（１）
ここで、
ｆ：視度−１ディオプター時の接眼光学系全系の焦点距離、
ＤＳＰ：第１レンズ群と第３レンズ群との面間隔（第１レンズ群の最も射出側のレンズ面から第３レンズ群の最も表示面側のレンズ面までの光軸上の距離）、
Ｌｄ：表示面の最大高
である。
【００３８】
前記条件（１）は、視度−１ディオプター時の全系の焦点距離の２乗と、第１レンズ群と第３レンズ群との面間隔、すなわち、視度調整時の第２レンズ群の可動範囲と表示面の最大高とを乗じた値との比を規定する条件である。条件（１）の範囲を外れると、視度調整範囲が狭くなるため、近視、遠視等の種々の視力を有する使用者に対応することが困難になる。また、条件（１）の範囲を外れると、全系の焦点距離が長くなり、拡大倍率が低くなるため、物体の細部まで観察することが困難になる。
【００３９】
以下の条件（１−１）’及び（１−１）’’の少なくとも１つを満足することにより、前記効果をさらに奏功させることができる。
２．０＜（ｆ）２／（ＤＳＰ×Ｌｄ）  ・・・（１−１）’
（ｆ）２／（ＤＳＰ×Ｌｄ）＜４．０  ・・・（１−１）’’
【００４０】
また、以下の条件（１−２）’及び（１−２）’’の少なくとも１つを満足することにより、前記効果をより一層奏功させることができる。
２．５＜（ｆ）２／（ＤＳＰ×Ｌｄ）  ・・・（１−２）’
（ｆ）２／（ＤＳＰ×Ｌｄ）＜３．５  ・・・（１−２）’’
【００４１】
例えば実施の形態１〜４に係る接眼光学系のように、基本構成を有する接眼光学系は、以下の条件（２）を満足することが有益である。
０＜Ｄ／ｆ＜３．０  ・・・（２）
ここで、
Ｄ：表示面から最も射出側のレンズ面までの光軸上の距離、
ｆ：視度−１ディオプター時の接眼光学系全系の焦点距離
である。
【００４２】
前記条件（２）は、表示面から最も射出側のレンズ面までの光軸上の距離、すなわち、レンズ全長と、視度−１ディオプター時の全系の焦点距離との比を規定する条件である。条件（２）の範囲を外れると、レンズ全長が長くなり、コンパクトな接眼光学系を提供することが困難になる。また、条件（２）の範囲を外れると、全系の焦点距離が短くなり過ぎ、収差補正を良好に行うことが困難になる。
【００４３】
以下の条件（２−１）’及び（２−１）’’の少なくとも１つを満足することにより、前記効果をさらに奏功させることができる。
０．５＜Ｄ／ｆ  ・・・（２−１）’
Ｄ／ｆ＜２．５  ・・・（２−１）’’
【００４４】
また、以下の条件（２−２）’及び（２−２）’’の少なくとも１つを満足することにより、前記効果をより一層奏功させることができる。
０．８＜Ｄ／ｆ  ・・・（２−２）’
Ｄ／ｆ＜１．８  ・・・（２−２）’’
【００４５】
例えば実施の形態１〜４に係る接眼光学系のように、基本構成を有する接眼光学系は、以下の条件（３）を満足することが有益である。
０＜Ｄ１／Ｌｄ＜２．０  ・・・（３）
ここで、
Ｄ１：表示面から第１レンズ群の最も表示面側のレンズ面までの光軸上の距離、
Ｌｄ：表示面の最大高
である。
【００４６】
前記条件（３）は、表示面から第１レンズ群の最も表示面側のレンズ面までの光軸上の距離と、表示面の最大高との比を規定する条件である。条件（３）の範囲を外れると、全系の焦点距離を短くすることが困難で、拡大倍率を高くすることが困難になる。また、条件（３）の範囲を外れると、像面湾曲の補正が困難になる。
【００４７】
以下の条件（３−１）を満足することにより、前記効果をさらに奏功させることができる。
０＜Ｄ１／Ｌｄ＜１．３  ・・・（３−１）
【００４８】
また、以下の条件（３−２）を満足することにより、前記効果をより一層奏功させることができる。
０＜Ｄ１／Ｌｄ＜０．８  ・・・（３−２）
【００４９】
例えば実施の形態１〜４に係る接眼光学系のように、基本構成を有する接眼光学系は、以下の条件（４）を満足することが有益である。
０＜ｆ２／ｆ＜２．０  ・・・（４）
ここで、
ｆ２：第２レンズ群の焦点距離、
ｆ：視度−１ディオプター時の接眼光学系全系の焦点距離
である。
【００５０】
前記条件（４）は、第２レンズ群の焦点距離と、視度−１ディオプター時の全系の焦点距離との比を規定する条件である。条件（４）の範囲を外れると、像面湾曲を始めとする諸収差の補正が困難になる。
【００５１】
以下の条件（４−１）’及び（４−１）’’の少なくとも１つを満足することにより、前記効果をさらに奏功させることができる。
０．２＜ｆ２／ｆ  ・・・（４−１）’
ｆ２／ｆ＜１．５  ・・・（４−１）’’
【００５２】
また、以下の条件（４−２）’及び（４−２）’’の少なくとも１つを満足することにより、前記効果をより一層奏功させることができる。
０．５＜ｆ２／ｆ  ・・・（４−２）’
ｆ２／ｆ＜１．２  ・・・（４−２）’’
【００５３】
（実施の形態５）
図９は、実施の形態５に係るファインダー光学系の概略断面図である。図９に示すように、ファインダー光学系は、液晶表示素子等の、画像を表示する表示面Ｓを有する表示素子２と、接眼光学系１とを備えており、該接眼光学系１として、実施の形態１に係る接眼光学系が用いられている。図９において、接眼光学系１は、表示面Ｓ側から順に、第１レンズ群Ｇ３と、第２レンズ群Ｇ２と、第３レンズ群Ｇ１とで構成されている。
【００５４】
こうして、接眼光学系として実施の形態１に係る接眼光学系を用いることにより、小型で、広い視野角及び高い拡大倍率が確保されたファインダー光学系を提供することができる。なお、図９に示したファインダー光学系には、実施の形態１に係る接眼光学系の替わりに実施の形態２〜４に係る接眼光学系のいずれかを用いてもよい。
【００５５】
なお、本開示におけるファインダー光学系は、必要に応じて、ペンタプリズム、ペンタミラー等の、対物レンズによって形成された倒立像を正立像に反転する像反転手段や、スーパーインポーズ表示板、有機ＥＬや液晶等の電子表示素子等を備えていてもよい。また、本開示におけるファインダー光学系は、光学式ファインダー、電子ビューファインダー等の、各種デジタルカメラ等に備えられるファインダーとすることができる。
【００５６】
以上のように、本出願において開示する技術の例示として、実施の形態５を説明した。しかしながら、本開示における技術は、これに限定されず、適宜、変更、置き換え、付加、省略などを行った実施の形態にも適用可能である。
【００５７】
以下、実施の形態１〜４に係る接眼光学系を具体的に実施した数値実施例を説明する。なお、各数値実施例において、表中の長さの単位はすべて「ｍｍ」であり、視度の単位は「ディオプター」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014073027.tif 000014
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００５８】
図２、４、６及び８は、各々数値実施例１〜４に係る接眼光学系の縦収差図である。
【００５９】
各縦収差図において、（ａ）図は視度−１ディオプター時の収差、（ｂ）図は視度−４ディオプター時の収差、（ｃ）図は視度＋４ディオプター時の収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は表示面高（図中、Ｈで示す）を表し、実線はサジタル平面（図中、ｓで示す）、破線はメリディオナル平面（図中、ｍで示す）の特性である。歪曲収差図において、縦軸は表示面高（図中、Ｈで示す）を表す。
【００６０】
（数値実施例１）
数値実施例１の接眼光学系は、図１に示した実施の形態１に対応する。数値実施例１の接眼光学系の面データを表１に、非球面データを表２に、各種データを表３に示す。
【００６１】
表  １（面データ）
面番号         r           d           nd         vd                
0             ∞        可変                                   
1(仮想絞り)       ∞    12.50000                                   
2*        26.72450     2.82000     1.52470    56.2               
3*        99.86820        可変                                   
4*        12.35610     6.48000     1.52470    56.2               
5*       -10.20560     0.61000                                   
6*       -10.45270     2.01000     1.58387    30.9               
7*         8.33380     1.29000                                   
8*         8.28700     7.80000     1.52470    56.2               
9*        -8.54230        可変                                   
10*       -25.72510     1.58000     1.58387    30.9               
11*        16.68570     1.70000                                   
12               ∞     0.70000     1.50997    61.6               
表示面            ∞                                               
【００６２】
表  ２（非球面データ）
第2面
K= 0.00000E+00, A4= 3.30583E-05, A6= 5.12835E-06, A8=-9.57265E-08 
A10= 1.06981E-09, A12=-4.81724E-12, A14= 0.00000E+00, A16= 0.00000E+00 
第3面
K= 0.00000E+00, A4=-9.16406E-05, A6= 2.49825E-06, A8= 6.53783E-08 
A10=-8.47733E-10, A12= 1.39883E-12, A14= 0.00000E+00, A16= 0.00000E+00 
第4面
K=-2.09483E-01, A4=-1.63310E-04, A6=-1.70600E-05, A8= 4.44704E-07 
A10=-4.14681E-09, A12= 1.21886E-11, A14= 1.47347E-14, A16= 0.00000E+00 
第5面
K=-4.48592E-01, A4= 7.74310E-04, A6=-1.84295E-05, A8= 1.49514E-07 
A10= 1.36694E-09, A12=-1.85567E-11, A14= 3.92931E-14, A16= 0.00000E+00 
第6面
K=-5.30691E-02, A4= 1.54595E-03, A6=-1.60417E-05, A8=-6.05308E-07 
A10= 1.74139E-08, A12=-1.25407E-10, A14= 7.13272E-16, A16= 1.12151E-15 
第7面
K=-1.86344E-01, A4= 1.34981E-03, A6=-6.02403E-05, A8= 5.60238E-07 
A10= 2.12328E-09, A12=-6.30360E-11, A14= 2.38237E-13, A16= 0.00000E+00 
第8面
K=-2.49786E-01, A4= 4.10631E-04, A6=-2.82129E-05, A8= 5.38944E-07 
A10=-5.47077E-09, A12= 4.81917E-12, A14= 1.28492E-13, A16= 0.00000E+00 
第9面
K=-3.17989E-01, A4= 7.84156E-04, A6=-5.88666E-06, A8= 1.51712E-07 
A10=-3.70370E-09, A12= 3.47845E-11, A14=-1.13322E-13, A16= 0.00000E+00 
第10面
K= 0.00000E+00, A4= 7.93521E-05, A6= 2.84771E-07, A8=-2.09783E-08 
A10=-4.72961E-09, A12= 3.24039E-11, A14= 1.69442E-12, A16= 0.00000E+00 
第11面
K= 0.00000E+00, A4= 5.77264E-05, A6=-4.49937E-07, A8=-6.62074E-07 
A10= 5.01708E-09, A12= 2.81760E-10, A14=-3.58105E-12, A16= 0.00000E+00
【００６３】
表  ３（各種データ）
視度             -1        -4        +4
焦点距離      17.0339   18.1118   15.6904
瞳径           4.0000    4.0000 4.0000
表示面最大高    5.0000    5.0000    5.0000
レンズ全長     40.8369   40.8369   40.8369
d0       -1000.0000 -250.0000  250.0000 
d3           1.8206    2.5710    0.7656 
d9           1.5263    0.7759    2.5813 
レンズ群データ
群    始面      焦点距離
1       1      68.63167
2       4      14.21563
3      10     -17.09968
【００６４】
（数値実施例２）
数値実施例２の接眼光学系は、図３に示した実施の形態２に対応する。数値実施例２の接眼光学系の面データを表４に、非球面データを表５に、各種データを表６に示す。
【００６５】
表  ４（面データ）
面番号         r           d           nd         vd                
0               ∞        可変                                   
1(仮想絞り)       ∞    12.50000                                   
2*        26.64100     2.82000     1.52470    56.2               
3*        98.50300        可変                                   
4*        12.35400     6.48000     1.52470    56.2               
5*       -10.20700     0.61000                                   
6*       -10.49400     2.01000     1.58387    30.9               
7*         8.30900     1.31000                                   
8*         8.28800     7.80000     1.52470    56.2               
9*        -8.55400        可変                                   
10*       -25.91000     1.58000     1.58387    30.9               
11*        16.75800     1.70000                                   
12               ∞     0.70000     1.50997    61.6               
表示面             ∞                                               
【００６６】
表  ５（非球面データ）
第2面
K= 0.00000E+00, A4= 8.36104E-05, A6= 1.40116E-06, A8=-2.03282E-08 
A10= 1.93620E-10, A12=-3.50960E-13, A14= 0.00000E+00, A16= 0.00000E+00 
第3面
K= 0.00000E+00, A4= 2.30652E-05, A6=-1.44453E-07, A8= 3.69705E-08 
A10=-1.17794E-10, A12=-1.57261E-12, A14= 0.00000E+00, A16= 0.00000E+00 
第4面
K=-1.94998E-01, A4=-9.32599E-05, A6=-1.78506E-05, A8= 4.68983E-07 
A10=-4.61548E-09, A12= 1.97091E-11, A14=-3.64883E-14, A16= 0.00000E+00 
第5面
K=-4.32235E-01, A4= 8.02836E-04, A6=-1.89610E-05, A8= 1.63160E-07 
A10= 1.70099E-09, A12=-1.93104E-11, A14=-1.26086E-14, A16= 0.00000E+00 
第6面
K=-6.59812E-02, A4= 1.54870E-03, A6=-1.59810E-05, A8=-6.05020E-07 
A10= 1.74138E-08, A12=-1.25575E-10, A14=-8.31988E-16, A16= 9.58338E-16 
第7面
K=-1.84106E-01, A4= 1.34377E-03, A6=-6.03523E-05, A8= 5.61549E-07 
A10= 2.11503E-09, A12=-6.36759E-11, A14= 2.26021E-13, A16= 0.00000E+00 
第8面
K=-2.34867E-01, A4= 4.14490E-04, A6=-2.81289E-05, A8= 5.35892E-07 
A10=-5.52634E-09, A12= 4.92607E-12, A14= 1.35686E-13, A16= 0.00000E+00 
第9面
K=-3.28439E-01, A4= 7.97900E-04, A6=-5.96431E-06, A8= 1.52739E-07 
A10=-3.68750E-09, A12= 3.47665E-11, A14=-1.14715E-13, A16= 0.00000E+00 
第10面
K= 0.00000E+00, A4= 7.37056E-05, A6= 3.58091E-07, A8=-1.47121E-08 
A10=-4.66118E-09, A12= 3.19966E-11, A14= 1.57026E-12, A16= 0.00000E+00 
第11面
K= 0.00000E+00, A4= 1.26408E-04, A6=-2.11876E-07, A8=-6.63658E-07 
A10= 4.95835E-09, A12= 2.79398E-10, A14=-3.67795E-12, A16= 0.00000E+00
【００６７】
表  ６（各種データ）
視度             -1        -4        +4
焦点距離      17.0339   18.1064   15.6946
瞳径           4.0000    4.0000    4.0000
表示面最大高    5.0000    5.0000    5.0000
レンズ全長     40.8786   40.8786   40.8786
d0       -1000.0000 -250.0000  250.0000 
d3           1.8409    2.5919    0.7837 
d9           1.5277    0.7767    2.5849 
レンズ群データ
群    始面      焦点距離
1       1      68.66976
2       4      14.22297
3      10     -17.19435
【００６８】
（数値実施例３）
数値実施例３の接眼光学系は、図５に示した実施の形態３に対応する。数値実施例３の接眼光学系の面データを表７に、非球面データを表８に、各種データを表９に示す。
【００６９】
表  ７（面データ）
面番号         r           d           nd         vd                
0               ∞        可変                                   
1(仮想絞り)       ∞    12.50000                                   
2*        24.25870     3.20000     1.52470    56.2               
3*        88.26770        可変                                   
4*        12.04820     6.49190     1.52470    56.2               
5*       -10.66540     0.68620                                   
6*       -10.90740     1.70000     1.58387    30.9               
7*         8.20690     0.70000                                   
8*         8.44390     8.00000     1.52470    56.2               
9*        -8.51670        可変                                   
10*       -20.20950     1.50000     1.58387    30.9               
11*        16.96860     1.80000                                   
表示面           ∞                                             
【００７０】
表  ８（非球面データ）
第2面
K= 0.00000E+00, A4= 8.51678E-05, A6= 2.22105E-06, A8=-2.01206E-08 
A10= 5.40628E-11, A12= 6.55478E-13, A14= 0.00000E+00 
第3面
K= 0.00000E+00, A4= 4.82639E-05, A6= 5.72236E-08, A8= 3.94067E-08 
A10= 8.03289E-12, A12=-2.60787E-12, A14= 0.00000E+00 
第4面
K=-1.40222E-02, A4=-5.90871E-05, A6=-1.82713E-05, A8= 4.68471E-07 
A10=-4.71295E-09, A12= 1.85838E-11, A14=-2.03128E-14 
第5面
K=-4.13186E-01, A4= 7.75410E-04, A6=-1.91790E-05, A8= 1.57777E-07 
A10= 1.68169E-09, A12=-1.90458E-11, A14=-6.67682E-15 
第6面
K= 1.64283E-01, A4= 1.47887E-03, A6=-1.67727E-05, A8=-5.95833E-07 
A10= 1.77023E-08, A12=-1.21881E-10, A14= 2.61643E-14 
第7面
K=-2.10063E-01, A4= 1.25299E-03, A6=-5.84307E-05, A8= 5.81611E-07 
A10= 2.37704E-09, A12=-6.19814E-11, A14= 1.28786E-13 
第8面
K=-1.48090E-01, A4= 4.19777E-04, A6=-2.96119E-05, A8= 5.66982E-07 
A10=-5.02257E-09, A12= 5.74362E-12, A14= 3.90851E-14 
第9面
K=-3.66780E-01, A4= 8.00058E-04, A6=-5.19266E-06, A8= 1.51444E-07 
A10=-3.85936E-09, A12= 3.34792E-11, A14=-5.18233E-14 
第10面
K= 0.00000E+00, A4=-9.74976E-05, A6=-2.31222E-06, A8=-7.86624E-09 
A10=-1.91567E-09, A12= 9.86372E-11, A14= 0.00000E+00 
第11面
K= 0.00000E+00, A4=-3.77825E-04, A6= 5.66935E-07, A8=-4.53873E-07 
A10= 2.24401E-09, A12= 2.11161E-10, A14= 0.00000E+00
【００７１】
表  ９（各種データ）
視度             -1        -4        +4
焦点距離      17.0170   18.1943   15.5556
瞳径           4.0000    4.0000    4.0000
表示面最大高    5.0000    5.0000    5.0000
レンズ全長     39.8931   39.8931   39.8931
d0       -1000.0000 -250.0000  250.0000 
d3           1.8367    2.5900    0.7703 
d9           1.4783    0.7250    2.5447 
レンズ群データ
群    始面      焦点距離
1       1      62.67736
2       4      14.45650
3      10     -15.56644
【００７２】
（数値実施例４）
数値実施例４の接眼光学系は、図７に示した実施の形態４に対応する。数値実施例４の接眼光学系の面データを表１０に、非球面データを表１１に、各種データを表１２に示す。
【００７３】
表  １０（面データ）
面番号         r           d           nd         vd                
0               ∞        可変                                   
1(仮想絞り)       ∞    12.50000                                   
2*       -45.11010     2.80000     1.52470    56.2               
3*       -12.81510        可変                                   
4*        15.75730     6.49190     1.52470    56.2               
5*       -13.60420     0.76330                                   
6*       -11.98990     1.70000     1.58387    30.9               
7*         7.99350     0.93190                                   
8*         8.49320     7.50000     1.52470    56.2               
9*        -8.77570        可変                                   
10*       -21.44360     1.50000     1.58387    30.9               
11*        13.13960     1.80000                                   
表示面            ∞                                              
【００７４】
表  １１（非球面データ）
第2面
K= 0.00000E+00, A4=-1.46893E-04, A6=-8.22758E-07, A8=-5.18262E-08 
A10=-4.14216E-10, A12=-2.31043E-12, A14= 5.67194E-14 
第3面
K= 0.00000E+00, A4=-4.25125E-05, A6=-2.68833E-06, A8= 1.95879E-08 
A10=-4.11619E-11, A12=-4.22813E-12, A14=-6.88455E-14 
第4面
K= 0.00000E+00, A4= 5.17460E-06, A6=-1.82850E-05, A8= 4.69905E-07 
A10=-4.75216E-09, A12= 1.86645E-11, A14=-1.06511E-14 
第5面
K= 0.00000E+00, A4= 6.35324E-04, A6=-1.98312E-05, A8= 1.53323E-07 
A10= 1.69812E-09, A12=-1.83343E-11, A14=-2.67482E-15 
第6面
K= 1.82356E-01, A4= 1.47681E-03, A6=-1.74132E-05, A8=-5.98902E-07 
A10= 1.76705E-08, A12=-1.22427E-10, A14= 1.12285E-14 
第7面
K=-2.32025E-01, A4= 1.17832E-03, A6=-5.59180E-05, A8= 5.81833E-07 
A10= 2.07139E-09, A12=-6.49011E-11, A14= 1.59332E-13 
第8面
K=-1.21984E-01, A4= 5.38717E-04, A6=-3.05312E-05, A8= 5.59969E-07 
A10=-5.00191E-09, A12= 6.46014E-12, A14= 1.16466E-14 
第9面
K=-4.63670E-01, A4= 8.54904E-04, A6=-5.62873E-06, A8= 1.30757E-07 
A10=-4.20305E-09, A12= 3.36426E-11, A14= 2.40838E-14 
第10面
K= 0.00000E+00, A4=-2.67039E-04, A6=-2.83907E-06, A8=-1.73388E-08 
A10= 7.60732E-11, A12= 8.20810E-11, A14= 0.00000E+00 
第11面
K= 0.00000E+00, A4= 1.37681E-04, A6=-1.45814E-05, A8=-2.23668E-07 
A10= 7.71039E-09, A12=-4.04712E-11, A14= 0.00000E+00
【００７５】
表  １２（各種データ）
視度             -1        -4        +4
焦点距離      17.2872   18.9309   16.4447
瞳径           4.0000    4.0000    4.0000
表示面最大高    5.0000    5.0000    5.0000
レンズ全長     39.8700   39.8700   39.8700
d0       -1000.0000 -250.0000 1000.0000 
d3           2.3029    3.2207    1.7803 
d9           1.5800    0.6622    2.1026 
レンズ群データ
群    始面      焦点距離
1       1      33.12692
2       4      16.04161
3      10     -13.73448
【００７６】
以下の表１３に、各数値実施例の接眼光学系における各条件の対応値を示す。
【００７７】
表  １３（条件の対応値）
【表１】
2014073027.tif 000015
【００７８】
以上のように、本開示における技術の例示として、実施の形態を説明した。そのために、添付図面および詳細な説明を提供した。
【００７９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８０】
また、上述の実施の形態は、本開示における技術を例示するためのものであるから、特許請求の範囲またはその均等の範囲において種々の変更、置き換え、付加、省略などを行うことができる。
【産業上の利用可能性】
【００８１】
本開示は、デジタルスチルカメラ、デジタルビデオカメラ、デジタル一眼レフレックスカメラ、ミラーレス一眼カメラといったデジタルカメラ等に適用可能である。
【符号の説明】
【００８２】
Ｇ１    第３レンズ群
Ｇ２    第２レンズ群
Ｇ３    第１レンズ群
Ｌ１    第５レンズ素子
Ｌ２    第４レンズ素子
Ｌ３    第３レンズ素子
Ｌ４    第２レンズ素子
Ｌ５    第１レンズ素子
Ａ      アイポイント（仮想絞り）
Ｓ      表示面
Ｃ      カバーガラス
１      接眼光学系
２      表示素子
【手続補正２】
【補正対象書類名】特許請求の範囲
【補正対象項目名】全文
【補正方法】変更
【補正の内容】
【特許請求の範囲】
【請求項１】
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動することを特徴とする、接眼光学系。
【請求項２】
前記第２レンズ群が、３枚のレンズ素子で構成される、請求項１に記載の接眼光学系。
【請求項３】
前記第２レンズ群の３枚のレンズ素子が、表示面側から射出側へと順に、正のパワーを有するレンズ素子と、負のパワーを有するレンズ素子と、正のパワーを有するレンズ素子とである、請求項２に記載の接眼光学系。
【請求項４】
以下の条件（１）を満足する、請求項１に記載の接眼光学系：
０＜（ｆ）２／（ＤＳＰ×Ｌｄ）＜５．０  ・・・（１）
ここで、
ｆ：視度−１ディオプター時の接眼光学系全系の焦点距離、
ＤＳＰ：第１レンズ群と第３レンズ群との面間隔、
Ｌｄ：表示面の最大高
である。
【請求項５】
以下の条件（２）を満足する、請求項１に記載の接眼光学系：
０＜Ｄ／ｆ＜３．０  ・・・（２）
ここで、
Ｄ：表示面から最も射出側のレンズ面までの光軸上の距離、
ｆ：視度−１ディオプター時の接眼光学系全系の焦点距離
である。
【請求項６】
以下の条件（３）を満足する、請求項１に記載の接眼光学系：
０＜Ｄ１／Ｌｄ＜２．０  ・・・（３）
ここで、
Ｄ１：表示面から第１レンズ群の最も表示面側のレンズ面までの光軸上の距離、
Ｌｄ：表示面の最大高
である。
【請求項７】
以下の条件（４）を満足する、請求項１に記載の接眼光学系：
０＜ｆ２／ｆ＜２．０  ・・・（４）
ここで、
ｆ２：第２レンズ群の焦点距離、
ｆ：視度−１ディオプター時の接眼光学系全系の焦点距離
である。
【請求項８】
画像を表示する表示面を有する表示素子と、接眼光学系とを備えており、
前記接眼光学系が、請求項１〜７のいずれか１つに記載の接眼光学系であることを特徴とする、ファインダー光学系。
【手続補正３】
【補正対象書類名】図面
【補正対象項目名】全図
【補正方法】変更
【補正の内容】
【図１】
2014073027.tif 000016
【図２】
2014073027.tif 000017
【図３】
2014073027.tif 000018
【図４】
2014073027.tif 000019
【図５】
2014073027.tif 000020
【図６】
2014073027.tif 000021
【図７】
2014073027.tif 000022
【図８】
2014073027.tif 000023
【図９】
2014073027.tif 000024
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動し、
前記第２レンズ群が、３枚のレンズ素子で構成される、接眼光学系。
【請求項２】
前記第２レンズ群の３枚のレンズ素子が、表示面側から射出側へと順に、正のパワーを有するレンズ素子と、負のパワーを有するレンズ素子と、正のパワーを有するレンズ素子とである、請求項１に記載の接眼光学系。
【請求項３】
以下の条件（１）を満足する、請求項１に記載の接眼光学系：
０＜（ｆ）２／（ＤＳＰ×Ｌｄ）＜５．０  ・・・（１）
ここで、
ｆ：視度−１ディオプター時の接眼光学系全系の焦点距離、
ＤＳＰ：第１レンズ群と第３レンズ群との面間隔、
Ｌｄ：表示面の最大高
である。
【請求項４】
以下の条件（２）を満足する、請求項１に記載の接眼光学系：
０＜Ｄ／ｆ＜３．０  ・・・（２）
ここで、
Ｄ：表示面から最も射出側のレンズ面までの光軸上の距離、
ｆ：視度−１ディオプター時の接眼光学系全系の焦点距離
である。
【請求項５】
以下の条件（３）を満足する、請求項１に記載の接眼光学系：
０＜Ｄ１／Ｌｄ＜２．０  ・・・（３）
ここで、
Ｄ１：表示面から第１レンズ群の最も表示面側のレンズ面までの光軸上の距離、
Ｌｄ：表示面の最大高
である。
【請求項６】
以下の条件（４）を満足する、請求項１に記載の接眼光学系：
０＜ｆ２／ｆ＜２．０  ・・・（４）
ここで、
ｆ２：第２レンズ群の焦点距離、
ｆ：視度−１ディオプター時の接眼光学系全系の焦点距離
である。
【請求項７】
画像を表示する表示面を有する表示素子と、接眼光学系とを備えており、
前記接眼光学系が、請求項１〜６のいずれか１つに記載の接眼光学系であることを特徴とする、ファインダー光学系。
【請求項８】
少なくとも５枚のレンズ素子で構成され、
表示面側から射出側へと順に、
負のパワーを有する第１レンズ群と、
正のパワーを有する第２レンズ群と、
正のパワーを有する第３レンズ群のみを備え、
視度調整のために、前記第２レンズ群が光軸に沿って移動する、接眼光学系。
【手続補正２】
【補正対象書類名】明細書
【補正対象項目名】０００８
【補正方法】変更
【補正の内容】
【０００８】
本開示における接眼光学系は、
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動し、
前記第２レンズ群が、３枚のレンズ素子で構成される。
【手続補正３】
【補正対象書類名】明細書
【補正対象項目名】０００９
【補正方法】変更
【補正の内容】
【０００９】
本開示におけるファインダー光学系は、
画像を表示する表示面を有する表示素子と、接眼光学系とを備えており、
前記接眼光学系が、
少なくとも５枚のレンズ素子で構成され、
表示面側から射出側へと順に、
負のパワーを有する第１レンズ群と、
正のパワーを有する第２レンズ群と、
正のパワーを有する第３レンズ群とを備え、
視度調整のために、前記第２レンズ群が光軸に沿って移動し、
前記第２レンズ群が、３枚のレンズ素子で構成されることを特徴とする。
【国際調査報告】
2014073027.tif 000025
2014073027.tif 000026
2014073027.tif 000027
2014073027.tif 000028